(57)【要約】  【課題】  衛生面での信頼性を高めることができるとともに、汚物を貯留する第１袋体の第２袋体への収納作業を簡単に行うことができる汚物貯留袋を得ることを目的とする。  【解決手段】  本発明は、汚物通過口２ａを有する折り畳み可能な基部材２と、この基部材２に取り付けられて可撓・不透水性を有する２つの有底袋３，４とを備え、これら両有底袋３，４のうち一方の有底袋３は、汚物通過口２ａに連通し、汚物を貯留するための第１袋体からなり、他方の有底袋４は、内面部４ａ及び外面部４ｂを互いに返して有底袋３及び基部材２を収納可能な第２袋体からなる構成とした汚物貯留袋１を提供する。【選択図】  図１
2005334070.tif 000002
【特許請求の範囲】
【請求項１】
汚物通過口を有する折り畳み可能な基部材と、
この基部材に取り付けられ、可撓・不透水性を有する２つの有底袋とを備え、
これら両有底袋のうち一方の有底袋は、前記汚物通過口に連通し、汚物を貯留するための第１袋体からなり、
他方の有底袋は、その内・外面部を互いに返して前記第１袋体及び前記基部材を収納可能な第２袋体からなることを特徴とする汚物貯留袋。
【請求項２】
前記第２袋体の底部が前記第１袋体の取付部位近傍に取り付けられていることを特徴とする請求項１記載の汚物貯留袋。
【請求項３】
前記汚物通過口の開口周縁にはハンドグリップ用の貫通孔が設けられていることを特徴とする請求項１又は２記載の汚物貯留袋。
【発明の詳細な説明】
【技術分野】
【０００１】
本発明は、糞便等の汚物を貯留する汚物貯留袋に関する。
【背景技術】
【０００２】
例えば、洋式ポータブル便器は、病床の傍らに置かれて病人が用便を済ませることができる簡易便器として知られている。これは、使用者の臀部を着座可能な便座部と、汚物を貯留するための容器を有する便器部とを備えている。
【０００３】
このような洋式ポータブル便器においては、使用者等（作業者）によって用便後に容器内の汚物が廃棄されると、容器が再使用のために洗浄される。
【０００４】
一方、洋式ポータブル便器の使用には、容器を洗浄する処理を省くために廃棄処理可能な汚物貯留袋が併用されることがある。
【０００５】
従来、この種の汚物貯留袋には、便座部の開口部に対応するシート部と、便器部の容器内に垂下する袋部（有底袋）とからなるものが提案されている（例えば特許文献１参照）。
【０００６】
このような汚物貯留袋においては、洋式ポータブル便器の便器部（容器）内に袋部を垂下させ、シート部を便座部と便器部との間に介在させる（取り付ける）ことにより使用される。そして、用便後には洋式ポータブル便器から取り外されて所定の場所に袋部内の汚物と共に廃棄される。
【特許文献１】特許第２８５５０７４号公報（図１）
【発明の開示】
【発明が解決しようとする課題】
【０００７】
しかるに、前記した汚物貯留袋においては、単一の袋部を備えているに過ぎず、このため作業者による袋部の不十分な開口封止作業に起因して袋部内の汚物がその開口部から外部に漏洩する虞があり、衛生面での信頼性が低下するという課題があった。
【０００８】
そこで、汚物を貯留する袋部（第１袋体）に加えて補助袋部（第２袋体）を用意し、この補助袋部内に用便済みの袋部を収納して汚物の外部への漏洩をできるだけ回避することが考えられるが、この場合には袋部の収納時に袋部を補助袋部内に収納する動作の他に、この動作に先立って補助袋部を開放させるための動作が必要になる。このため袋部の収納時の動作数が嵩み、その収納作業を面倒なものにするという課題があった。
【０００９】
本発明は、このような事情に鑑みてなされたもので、衛生面での信頼性を高めることができるとともに、汚物を貯留する第１袋体の第２袋体への収納作業を簡単に行うことができる汚物貯留袋を提供することを目的とする。
【課題を解決するための手段】
【００１０】
上記目的を達成するために、請求項１記載の発明は、汚物通過口を有する折り畳み可能な基部材と、この基部材に取り付けられ、可撓・不透水性を有する２つの有底袋とを備え、これら両有底袋のうち一方の有底袋は、前記汚物通過口に連通し、汚物を貯留するための第１袋体からなり、他方の有底袋は、その内・外面部を互いに返して前記第１袋体及び前記基部材を収納可能な第２袋体からなることを特徴とする汚物貯留袋を提供する。
【００１１】
この構成によれば、用便後には汚物を貯留する第１袋体が第２袋体によって収納されるため、作業者による第１袋体の不十分な開口封止作業に起因して第１袋体の開口部から汚物が漏洩しても第２袋体内に貯留することになる。
【００１２】
また、第１袋体及び基部材を保持しながら、第２袋体の内・外面部を互いに返すことに
より第２袋体に対して第１袋体及び基部材が収納されるため、第２袋体の開放動作と第１袋体の収納動作が一挙に行われる。
【００１３】
請求項２記載の発明は、前記第２袋体の底部が前記第１袋体の取付部位近傍に取り付けられていることを特徴とする請求項１記載の汚物貯留袋を提供する。
【００１４】
この構成によれば、第２袋体に対する第１袋体及び基部材の収納時における第２袋体の内・外面部の返し動作が円滑に行われる。
【００１５】
請求項３記載の発明は、前記汚物通過口の開口周縁にはハンドグリップ用の貫通孔が設けられていることを特徴とする請求項１又は２記載の汚物貯留袋を提供する。
【００１６】
この構成によれば、使用者が両手で基部材を保持しながら用便を行うことが可能となるため、例えば洋式ポータブル便器，バケツ又はごみ箱との併用のみならず汚物貯留袋単独での使用も可能となる。
【発明の効果】
【００１７】
請求項１記載の発明は、用便後には汚物を貯留する第１袋体が第２袋体内に収納されるため、作業者による第１袋体の不十分な開口封止作業に起因して第１袋体の開口部から汚物が漏洩しても第２袋体内に貯留することになる。このため、汚物の外部への漏洩を確実に回避することができ、衛生面での信頼性を高めることができる。
【００１８】
また、請求項１記載の発明は、第１袋体及び基部材を保持しながら、第２袋体の内・外面部を互いに返すことにより第２袋体内に第１袋体及び基部材が収納されるため、第２袋体の開放動作と第１袋体の収納動作とを一挙に行うことができる。このため、第１袋体の収納時の動作数を削減することができ、第１袋体の第２袋体への収納作業を簡単に行うことができる。
【００１９】
請求項２記載の発明は、第２袋体に対する第１袋体及び基部材の収納時における第２袋体の内・外面部の返し動作が円滑に行われるため、請求項１記載の発明の効果に加え、第１袋体及び基部材の収納時において良好な操作性を得ることができる。
【００２０】
請求項３記載の発明は、使用者が両手で基部材を保持しながら用便を行うことが可能となるため、例えば洋式ポータブル便器，バケツ又はごみ箱との併用のみならず汚物貯留袋単独での使用も可能となり、請求項１又は２記載の発明の効果に加え、屋内外での用便時の使用に応じることができる。
【発明を実施するための最良の形態】
【００２１】
本発明は、汚物通過口を有する折り畳み可能な基部材と、この基部材に取り付けられ、可撓・不透水性を有する２つの有底袋とを備え、これら両有底袋のうち一方の有底袋は、前記汚物通過口に連通し、汚物を貯留するための第１袋体からなり、他方の有底袋は、その内・外面部を互いに返して前記第１袋体及び前記基部材を収納可能な第２袋体からなる構成としたことにより、衛生面での信頼性を高めること及び第１袋体の第２袋体への収納作業が簡単に行えることを実現した。
【００２２】
以下、本発明の実施の形態を図１〜３に基づいて説明する。図１において、符号１で示す汚物貯留袋は、汚物通過口２ａを有する折り畳み・展開可能な基部材２と、可撓・不透水性を有する２つの有底袋３，４とを備えている。
【００２３】
基部材２は、縦（長さ）横（幅）寸法が互いに異なる（縦寸法＞横寸法）平面略小判状の厚紙からなり、使用者の股間部に当接し得るように構成されている。また、図２（ａ）
に示すような洋式ポータブル便器１０の便器部１０ａと便座部１０ｂとの間に介在し得るように、図２（ｂ）に示すようなバケツ２０の開口周縁あるいは図２（ｃ）に示すようなごみ箱３０の開口周縁に載置（装着）し得るようにそれぞれ構成されている。
【００２４】
基部材２の外周縁における長手方向中央部には、汚物通過口２ａの形成位置とは反対側に突出する２つの舌片５，６が一体に設けられている。舌片５，６には、基部材２の長手方向に沿って延在するハンドグリップ用の第１貫通孔５ａ，６ａが設けられている。第１貫通孔５ａ，６ａは、互いに周方向に等間隔をもって並列する位置に配置されている。
【００２５】
基部材２の長手方向（縦）方向端部には、第１貫通孔５ａ，６ａの長手方向と直角な方向に延在するハンドグリップ用の第２貫通孔２ｂ，２ｃが設けられている。第２貫通孔２ｂ，２ｃは、第１貫通孔５ａ，６ａから周方向に等間隔をもって並列する位置に配置されている。これにより、汚物通過口２ａの開口周縁における四方位置にはハンドグリップ用の貫通孔２ｂ，２ｃ，５ａ，６ａが配置されることになる。このため、使用者が両手で基部材２を保持しながら用便を行うことが可能となるため、例えば洋式ポータブル便器１０，バケツ２０又はごみ箱３０との併用のみならず汚物貯留袋１単独での使用も可能となり、屋内外での用便時の使用に応じることができる。
【００２６】
基部材２及び舌片５，６には４組の折線２ｄ〜２ｇが設けられている。これにより、基部材２を八つに折り畳み、また展開するように構成されている。
【００２７】
折線２ｄ，２ｄは、それぞれ第２貫通孔２ｂ，２ｃを挟むように基部材２における同一線上に配置されている。折線２ｅ，２ｅは、それぞれ第１貫通孔５ａ，６ａを挟むように基部材２及び舌片５，６に跨って同一線上に配置されている。折線２ｆ，２ｆは、それぞれ第２貫通孔２ｂから周方向に等間隔をもって並列する位置に配置されている。折線２ｇ，２ｇは、それぞれ第２貫通孔２ｃから周方向に等間隔をもって並列する位置に配置されている。折線２ｇ，２ｇと第２貫通孔２ｃとの間の寸法は折線２ｆ，２ｆと第２貫通孔２ｂとの間の寸法と同一の周方向寸法に設定されている。これにより、基部材２の折り畳み（八つ折り）状態において折線２ｇ，２ｇと折線２ｆ，２ｆとは互いに折り重なることになる。
【００２８】
基部材２の汚物通過口２ａは、平面略小判形状の開口部からなり、糞便・小水等の汚物を通過させるように構成されている。
【００２９】
有底袋３，４は、全体が炭酸カルシウム入りのポリエチレンからなる不透明プラスチック材料によって形成されている。このため、有底袋３，４の燃焼によって有害ガスが発生せず、近年における環境保全対策に応じることができる。
【００３０】
なお、有底袋３，４は、両方に開口する筒状プラスチック素材の一方側開口部を閉塞（縁部接合）することにより形成されている。
【００３１】
一方の有底袋３は、汚物通過口２ａに連通し、汚物を貯留するための第１袋体からなり、その開口内縁部が基部材２の裏面部（汚物通過口２ａの開口周縁裏側）に取り付けられている。有底袋３の両側部には、折線３ａを有する余裕代３Ａが設けられている。
【００３２】
なお、高吸水性ポリマーが内封された透水性袋（図示せず）が予め有底袋３内に配置されていると、有底袋３内に貯留した水分をゲル状化するため、汚物・臭いの外部への漏洩を抑制することができる。
【００３３】
他方の有底袋４は、その内面部４ａ及び外面部４ｂを互いに返して有底袋３及び基部材２を収納可能な第２袋体からなり、その底部（外面部４ｂの中央部分）が有底袋３と同様に基部材２の裏面部に取り付けられている。有底袋４の取付部位（底部）は有底袋３の取
付部位近傍に配置されている。これにより、有底袋４に対する有底袋３及び基部材２の収納時における内面部４ａ及び外面部４ｂの返し動作が円滑に行われ、有底袋３及び基部材２の収納時において良好な操作性を得ることができる。
【００３４】
次に、本実施形態に示す汚物貯留袋１を用便に使用する場合の方法（１）〜（４）につき、図１〜３を用いて説明する。
（１）汚物貯留袋のみを用いる場合
汚物貯留袋１のみを用いる用便は、図１に示す汚物通過口２ａの開口周縁表側を使用者の股間部に当接させた後、ハンドグリップ用の第１貫通孔５ａ，６ａあるいは同じくハンドグリップ用の第２貫通孔２ｂ，２ｃに左右各手の指を引っ掛けて基部材２を保持することにより行う。
【００３５】
（２）洋式ポータブル便器を併用する場合
汚物貯留袋１及び洋式ポータブル便器１０を併用する用便は、図２（ａ）に示すように便器部１０ａ内に有底袋３を垂下させるとともに、基部材２の汚物通過口２ａの開口周縁を便器部１０ａ上に載置した後、便器部１０ａ上に基部材２を介して便座部１０ｂを載置することにより行う。
【００３６】
（３）バケツを併用する場合
汚物貯留袋１及びバケツ２０を併用する用便は、図２（ｂ）に示すようにバケツ２０内に有底袋３を垂下させるとともに、基部材２の汚物通過口２ａの開口周縁をバケツ２０（バケツ２０の開口周縁）上に載置（装着）することにより行う。
【００３７】
（４）ごみ箱を併用する場合
汚物貯留袋１及びごみ箱３０を併用する用便は、図２（ｃ）に示すようにごみ箱３０内に有底袋３を垂下させるとともに、基部材２の汚物通過口２ａの開口周縁をごみ箱３０（ごみ箱３０の開口周縁）上に載置（装着）することにより行う。
【００３８】
そして、上記（１）〜（４）において用便を済ませた後には、まず図３（ａ）に示す状態の基部材２を図３（ｂ）に示すように４組の折線２ｄ〜２ｇに沿って折り畳む。この場合、基部材２の折り畳みは、折線２ｄ，２ｄに沿って、また折線２ｅ，２ｅに沿って、さらには折線２ｆ，２ｆ及び折線２ｇ，２ｇに沿って順次行う。また、基部材２の折り畳み動作に伴い、図３（ｂ）に実線で示すように有底袋３も折り畳む。
【００３９】
次いで、有底袋４の内面部４ａ及び外面部４ｂを図３（ｂ）に２点鎖線で示す状態から実線で示すように互いに返し、有底袋３及び基部材２を有底袋４内に収納する。この場合、内面部４ａ及び外面部４ｂの返し動作が完了すると、内面部４ａが有底袋４の外側に配置（露呈）され、外面部４ｂが有底袋４の内側に配置（隠蔽）される。ここで、有底袋３内の汚物が少量である場合には、図３（ｂ）に２点鎖線で示すように有底袋３を折り畳む。
【００４０】
しかる後、図３（ｃ）に示すように、有底袋４の開口周縁２部位（開口周方向に略等間隔をもって並列する２つの部位）を打ち違えて結ぶ。
【００４１】
したがって、本実施形態においては、用便後には汚物を貯留する有底袋３（及び基部材２）が有底袋４内に収納されるため、作業者による有底袋３の不十分な開口封止作業に起因して有底袋３の開口部から汚物が漏洩しても有底袋４内に貯留することになる。このため、汚物の外部への漏洩を確実に回避することができ、衛生面での信頼性を高めることができる。
【００４２】
また、本実施形態においては、有底袋３及び基部材２を保持しながら、有底袋４の内面
部４ａ及び外面部４ｂを互いに返すことにより有底袋４に対して有底袋３及び基部材２が収納されるため、有底袋４の開放動作と有底袋３の収納動作とを一挙に行うことができる。このため、有底袋３の収納時の動作数を削減することができ、有底袋３の有底袋４への収納作業を簡単に行うことができる。
【００４３】
なお、本実施形態においては、糞便・小水を貯留する場合の使用例について説明したが、本発明はこれに限定されず、他の汚物を貯留する場合にも実施形態と同様に使用できることは勿論である。
【図面の簡単な説明】
【００４４】
【図１】実施形態に係る汚物貯留袋を示す斜視図。
【図２】（ａ）〜（ｃ）は、実施形態に係る使用例を示す斜視図。
【図３】（ａ）〜（ｃ）は、実施形態に係る使用方法を説明するために示す斜視図。
【符号の説明】
【００４５】
１          汚物貯留袋
２          基部材
２ａ        汚物通過口
２ｂ，２ｃ  第２貫通孔
２ｄ〜２ｇ  折線
３          有底袋
３Ａ        余裕代
３ａ        折線
４          有底袋
４ａ        内面部
４ｂ        外面部
５，６      舌片
５ａ，６ａ  第１貫通孔
１０        洋式ポータブル便器
１０ａ      便器部
１０ｂ      便座部
２０        バケツ
３０        ごみ箱
【図１】
2005334070.tif 000003
【図２】
2005334070.tif 000004
【図３】
2005334070.tif 000005